(57)【特許請求の範囲】
【請求項１】
硬貨収納用金庫であって、
硬貨を収納する収納庫と、
前記収納庫の内部の底面を除く他の面に配置された硬貨投入口と、
前記硬貨投入口から投入された前記硬貨の落下地点の鉛直下方、かつ、前記底面に配置された弾性体と、
前記鉛直下方において、前記硬貨投入口と前記弾性体との間に配置され、前記弾性体と接して前記弾性体の弾性により変位し、前記底面から見て矩形形状を有する底板部と、
を備え、
前記落下地点は、前記底板部の中央よりも前記底板部の第１の端辺に近い位置であり、
前記底板部は、前記第１の端辺と対向する前記底板部の第２の端辺が前記底面に回動可能に接合され、前記第２の端辺を軸として変位可能に構成され、
前記第１の端辺と、前記収納庫の側面と、の間の間隙を塞ぐシート状部材を備える、硬貨収納用金庫。
【請求項２】
請求項１に記載の硬貨収納用金庫において、
前記シート状部材は、可撓性を有する、硬貨収納用金庫。
【請求項３】
請求項１または請求項２に記載の硬貨収納用金庫において、
前記弾性体は、コイルバネである、硬貨収納用金庫。
【発明の詳細な説明】
【技術分野】
【０００１】
本発明は、硬貨を収納する金庫に関するものである。
【背景技術】
【０００２】
硬貨の入金及び出金処理を行う装置として、例えば、銀行等の金融機関において用いられる現金自動預け払い機（ＡＴＭ：Automated Teller Machine）や、小売店において用いられる硬貨紙幣釣銭機が挙げられる。これらの装置は、硬貨収納用金庫を内蔵し、入金された硬貨を硬貨収納用金庫に収納する。硬貨収納用金庫の硬貨投入口から落下した硬貨が山状に溜まってしまうと、硬貨収納用金庫の収納限界量に達していないにも関わらず、満杯であると誤検知してしまうおそれがあった。そこで、金庫内に案内部材を設け、金庫内を落下する硬貨をこの案内部材で弾き飛ばすことにより、硬貨の偏った堆積を抑制する方法（特許文献１）や、金庫内に硬貨の山を均すための駆動機構（例えば、ベルト及びベルト駆動機構）を設ける方法（特許文献２，３）や、金種に応じて金庫内に収納する順序を制御する方法（特許文献４）が提案されている。
【先行技術文献】
【特許文献】
【０００３】
【特許文献１】特開２００６−２０２１３１号公報
【特許文献２】特開平６−２４３３２８号公報
【特許文献３】特開２００４−３１８３５５号公報
【特許文献４】特開２００１−６０１０号公報
【発明の概要】
【発明が解決しようとする課題】
【０００４】
上述した従来の方法では、硬貨の堆積の偏りを十分に抑制できないという問題、及び硬貨収納用金庫の製造コストが上昇するという問題があった。例えば、特許文献１に記載の方法では、案内部材よりも高く硬貨が堆積した場合には、もはや案内部材により硬貨を弾き飛ばすことができないため、硬貨が偏って堆積することとなる。また、特許文献２〜４に記載の方法では、駆動機構や金種を識別する機構を設ける必要があるため、金庫の製造コストが上昇する。
【０００５】
本発明は、硬貨収納用金庫において、製造コストの上昇を抑制しつつ、硬貨の堆積の偏りを抑制することを目的とする。
【課題を解決するための手段】
【０００６】
本発明は、上述の課題の少なくとも一部を解決するためになされたものであり、以下の形態又は適用例として実現することが可能である。
[形態１]硬貨収納用金庫であって、硬貨を収納する収納庫と、前記収納庫の内部の底面を除く他の面に配置された硬貨投入口と、前記硬貨投入口から投入された前記硬貨の落下地点の鉛直下方、かつ、前記底面に配置された弾性体と、前記鉛直下方において、前記硬貨投入口と前記弾性体との間に配置され、前記弾性体と接して前記弾性体の弾性により変位し、前記底面から見て矩形形状を有する底板部と、を備え、前記落下地点は、前記底板部の中央よりも前記底板部の第１の端辺に近い位置であり、前記底板部は、前記第１の端辺と対向する前記底板部の第２の端辺が前記底面に回動可能に接合され、前記第２の端辺を軸として変位可能に構成され、前記第１の端辺と、前記収納庫の側面と、の間の間隙を塞ぐシート状部材を備える、硬貨収納用金庫。
【０００７】
［適用例１］硬貨収納用金庫であって、硬貨を収納する収納庫と、前記収納庫の内部の底面を除く他の面に配置された硬貨投入口と、前記底面に配置された弾性体と、前記硬貨投入口から投入された前記硬貨の落下地点の鉛直下方において、前記硬貨投入口と前記弾性体との間に配置され、前記弾性体と接して前記弾性体の弾性により変位する底板部と、を備える、硬貨収納用金庫。
【０００８】
適用例１の硬貨収納用金庫は、硬貨の落下地点の鉛直下方において硬貨投入口と弾性体との間に配置され、弾性体と接して弾性体の弾性により変位する底板部を備えているので、硬貨は、この弾性体の弾性を利用して底板部によって弾き飛ばされる。ここで、収納された硬貨の量が増加すると、底板部の上に硬貨が堆積することになるので、底板部と堆積した硬貨とを合わせた重量が次第に増加することとなる。それゆえ、弾性体の弾性による底板部の変位量も次第に変化（減少）するため、弾き飛ばされた硬貨の落下地点を固定させず徐々に変化させることができる。また、底板部の上に硬貨を収納できるので、底板部の変位（揺れ）や弾き飛ばされた硬貨の着地の衝撃を、既に収納されている硬貨に伝えることができる。したがって、収納されている硬貨を均すことができ、硬貨の堆積の偏りを抑制することができる。加えて、収納されている硬貨を均すために特別な駆動機構は不要であるので、硬貨収納用金庫の製造コストの上昇を抑えることができる。また、弾性体によって硬貨の衝突の衝撃を吸収することができるので、収納庫の底面等に硬貨を直接衝突させる構成に比べて、収納庫の劣化を抑制できる。また、底板部の上に硬貨を収納することができるので、収納された硬貨の自重により底板部を介して弾性体を押し潰すことができる。したがって、底板部の下方のスペース、すなわち、硬貨の収納に利用されないデッドスペースを次第に小さくすることができ、硬貨の収納に利用できるスペースを次第に大きくすることができる。
【０００９】
［適用例２］適用例１に記載の硬貨収納用金庫において、前記弾性体は、前記落下地点の鉛直下方に配置されている、硬貨収納用金庫。
【００１０】
このような構成により、落下した硬貨の衝突エネルギーを無駄なく弾性体に伝えることができるので、硬貨をより大きく弾き飛ばすことができる。
【００１１】
［適用例３］適用例２に記載の硬貨収納用金庫において、前記底板部は、前記底面から見て矩形形状を有し、前記落下地点は、前記底板部の中央よりも前記底板部の第１の端辺に近い位置であり、前記底板部は、前記第１の端辺と対向する前記底板部の第２の端辺が前記底面に回動可能に接合され、前記第２の端辺を軸として変位可能に構成されている、硬貨収納用金庫。
【００１２】
このような構成により、底板部において硬貨の落下地点から離れた位置（例えば、軸付近等）から順次硬貨を収納することができ、硬貨の収納位置の偏りを抑制することができる。
【００１３】
［適用例４］適用例３に記載の硬貨収納用金庫において、さらに、前記第１の端辺と、前記収納庫の側面と、の間の間隙を塞ぐための可撓性を有するシート状部材を備える、硬貨収納用金庫。
【００１４】
このような構成により、第１の端辺と収納庫の側面との間隙をシート状部材により塞ぐことができるので、弾き飛ばされた硬貨が、かかる間隙を通って底板部の下方の弾性体が配置された空間に侵入することを抑制できる。
【００１５】
［適用例５］適用例１ないし適用例４のいずれかに記載の硬貨収納用金庫において、前記弾性体は、コイルバネである、硬貨収納用金庫。
【００１６】
このような構成により、底板部の上に堆積した硬貨の自重により底板部を介して弾性体が押し潰された際に、弾性体の垂直方向の長さを短くすることができるので、底板部の下方のデッドスペースをより小さくすることができ、硬貨収納に利用可能なスペースを拡大することができる。
【図面の簡単な説明】
【００１７】
【図１】本発明の一実施例としての硬貨収納用金庫の構成を示す斜視図である。
【図２】硬貨収納用金庫の構成を示す側面図である。
【図３】閉塞部１４と底板１３との噛み合わせ部分の拡大図である。
【図４】硬貨収納用金庫１０における硬貨収納動作を示す第１の説明図である。
【図５】硬貨収納用金庫１０における硬貨収納動作を示す第２の説明図である。
【図６】硬貨収納用金庫１０における硬貨収納動作を示す第３の説明図である。
【図７】硬貨収納用金庫１０における硬貨収納動作を示す第４の説明図である。
【図８】硬貨収納用金庫１０における硬貨収納動作を示す第５の説明図である。
【図９】硬貨収納用金庫１０における硬貨収納動作を示す第６の説明図である。
【図１０】硬貨収納用金庫１０における硬貨収納動作を示す第７の説明図である。
【図１１】第２の実施例における硬貨収納用金庫の構成を示す側面図である。
【図１２】第３の実施例における硬貨収納用金庫の構成を示す側面図である。
【図１３】第４の実施例における硬貨収納用金庫の構成を示す側面図である。
【発明を実施するための形態】
【００１８】
Ａ．第１の実施例：
図１は、本発明の一実施例としての硬貨収納用金庫の構成を示す斜視図である。図２は、硬貨収納用金庫の構成を示す側面図である。図１，２において、下方向は重力方向（鉛直下方）に相当する。この硬貨収納用金庫１０は、硬貨を収納する収納庫１１と、硬貨投入口１２と、底板１３と、コイルバネ１６と、閉塞部１４と、を備えている。硬貨収納用金庫１０は、例えば、現金自動預け払い機（ＡＴＭ）や、硬貨紙幣釣銭機の内部に収容されて用いられる。
【００１９】
収納庫１１は、六面体の外観形状を有している。図１の例では、収納庫１１は、内部構造が外部から視認可能に構成されている。この構成は、例えば、透明なＡＢＳ樹脂等で形成することにより実現可能である。なお、内部構造が外部から視認できないように収納庫１１を構成することもでき、この場合、例えば、ＡＢＳ樹脂に代えて、鋼板を用いて形成することもできる。硬貨投入口１２は、硬貨収納用金庫１０が載置された状態において収納庫１１の上面Ｓ１に設けられている。なお、硬貨投入口１２は、上面Ｓ１において、中央よりも端に近い位置に設けられている。この硬貨投入口１２は、収納庫１１が収容される装置（例えば、ＡＴＭや硬貨紙幣釣銭機）から送られてくる硬貨を収納庫１１内部に投入するための開口である。
【００２０】
底板１３は、収納庫１１の底面Ｓ２とほぼ同じ大きさの板状部材であり、収納庫１１の内部を、上部空間ＡＲ１と下部空間ＡＲ２とに分けている。上部空間ＡＲ１は、硬貨を収納する空間であり、下部空間ＡＲ２は硬貨を収納しない空間である。底板１３としては、例えば、ＳＵＳ（ステンレススチール）などの金属板や、合成樹脂の板や、木製の板を用いることができる。底板１３は、端辺Ｐ１が収納庫１１の底面Ｓ２と側面Ｓ４との交線に沿うように配置され、蝶番１５によって収納庫１１の底面Ｓ２と回動可能に接合されている。端辺Ｐ１と対向する端辺Ｐ２は、櫛歯状に形成されている。
【００２１】
コイルバネ１６は、下部空間ＡＲ２に配置されている。具体的には、コイルバネ１６は、硬貨投入口１２の鉛直下方において、一端が収納庫１１の底面Ｓ２に接合され、他端が底板１３の裏面に接合されて配置されている。前述のように、端辺Ｐ１は蝶番１５によって底面Ｓ２と接合されているため、底板１３は、コイルバネ１６の変位に従って端辺Ｐ１（蝶番１５）を軸として変位する。コイルバネ１６は、少なくとも底板１３上に硬貨が堆積されていない状態において、落下する硬貨を弾くことが可能な程度の弾性を有している。
【００２２】
閉塞部１４は、底板１３と収納庫１１の側面Ｓ３との間の間隙Ｂ１を塞ぐために用いられる。閉塞部１４は、平面視矩形の剛性の弱いシート状部材で構成されている。このような閉塞部１４としては、例えば、マイラーシートを採用することができる。閉塞部１４の端辺Ｐ１０は、収納庫１１の側面Ｓ３と接合されている。閉塞部１４の端辺Ｐ１０と対向する辺（図示省略）側は、底板１３と噛み合わせるように配置されている。
【００２３】
図３は、閉塞部１４と底板１３との噛み合わせ部分の拡大図である。底板１３において、端辺Ｐ２に近い部分には、櫛歯部１３ａが形成されている。同様に、閉塞部１４において、端辺Ｐ１０と対向する端辺Ｐ１１に近い部分には、櫛歯部１４ａが形成されている。底板１３及び閉塞部１４は、これら２つの櫛歯部１３ａ，１４ａが互いに噛み合うように配置されている。なお、端辺Ｐ１１は、いずれの構成要素にも接合されていない。したがって、底板１３が変位した場合には、閉塞部１４は撓むことはあっても変位することはない。
【００２４】
図２に戻って、硬貨収納用金庫１０は、収納庫１１内の硬貨が満杯となったか否かを判定するための図示しないセンサを備えている。かかるセンサとしては、例えば、発光ダイオードとフォトトランジスタとの組み合わせからなり、発光ダイオードから射出された光が、堆積した硬貨により遮られた場合に満杯を検知する光センサを採用することができる。図２には、かかるセンサにより満杯が検知されるセンサラインＳＬを破線で示している。本実施例では、図示しない光センサにより満杯を検知した場合には、ＡＴＭや硬貨紙幣釣銭機からの硬貨送出を停止させる動作が実行される。なお、硬貨送出の停止動作に代えて、係員に通報する等の動作を行うこともできる。
【００２５】
なお、前述の端辺Ｐ２は請求項における第１の端辺に相当し、端辺Ｐ１は請求項における第２の端辺に相当する。
【００２６】
図４は、硬貨収納用金庫１０における硬貨収納動作を示す第１の説明図である。また、図５〜１０は、硬貨収納用金庫１０における硬貨収納動作を示す第２〜７の説明図である。図４〜１０は、この順序で時系列に沿った順序に並んでいる。なお、図４〜１０は、いずれも図２と同様に硬貨収納用金庫１０を側面から見た図である。
【００２７】
図４に示すように、ＡＴＭや硬貨紙幣釣銭機から送られてきた複数の硬貨ＣＳは、硬貨投入口１２から投入されて収納庫１１の内部（上部空間ＡＲ１）を落下する。図５に示すように、落下した硬貨ＣＳは底板１３に衝突し、底板１３は蝶番１５を軸として下方に変位し、また、コイルバネ１６は収縮する。このコイルバネ１６の収縮により、硬貨ＣＳの落下の衝撃は吸収される。このとき、閉塞部１４は、底板１３の変位により変形するが、おおよその配置位置は変化せず、間隙Ｂ１を塞いだ状態を維持する。
【００２８】
図６に示すように、底板１３は、コイルバネ１６の反発力により蝶番１５を軸として上方に押し戻され、硬貨ＣＳは、蝶番１５を軸としてコイルバネ１６とは反対方向に弾き飛ばされる。その結果、硬貨ＣＳは、図７に示すように、底板１３の端辺Ｐ１付近において、底板１３の上に堆積する。
【００２９】
その後、硬貨ＣＳが硬貨投入口１２から投入されるたびに、コイルバネ１６の反発力により硬貨ＣＳが弾き飛ばされ、底板１３の上に硬貨が堆積する。ここで、投入済みの硬貨が増加するに従って、堆積した硬貨の合計重量は次第に増加するため、コイルバネ１６の反発力による底板１３の変位量も次第に小さくなる。また、落下する硬貨の数は、常に一定とは限らない。したがって、コイルバネ１６の反発力によって弾き飛ばされる硬貨の着地位置は一定とならない。さらに、硬貨が弾き飛ばされるたびに、底板１３の変位（揺れ）及び硬貨の着地時の衝撃が収納済みの硬貨全体に伝わることとなる。それゆえ、図８に示すように、投入された硬貨は、一箇所に偏って収納されず、底板１３の上において端辺Ｐ１から端辺Ｐ２に向かって均されて収納されることとなる。
【００３０】
さらに硬貨ＣＳの収納が進むと、図９に示すように、上部空間ＡＲ１内に堆積した硬貨ＣＳ全体の重さにより底板１３は押し下げられ、下部空間ＡＲ２は縮小し、上部空間ＡＲ１は拡大する。そして、図１０に示すように、上部空間ＡＲ１内に収納された硬貨がセンサラインＳＬを超えると、新たな硬貨の投入が停止する。
【００３１】
以上説明したように、第１の実施例の硬貨収納用金庫では、収納庫１１内に投入された硬貨は、底板１３に衝突し、コイルバネ１６の反発力により弾き飛ばされて底板１３の上に収納される。このとき、収納された硬貨の量が増えるに従い、コイルバネ１６の反発力による底板１３の変位量は減少するので、弾き飛ばされた硬貨の落下地点は一定とならず、徐々に衝突位置に近づくように変化する。さらに、硬貨が弾き飛ばされるたびに、硬貨の着地の衝撃が既に収納されている硬貨に伝わる。したがって、第１の実施例の硬貨収納用金庫は、硬貨の堆積の偏りを抑制することができる。
【００３２】
加えて、底板１３の変位（揺れ）及び弾き飛ばされた硬貨の着地の衝撃を利用して、投入された硬貨を均すので、堆積した硬貨を均すために特別な駆動機構は不要であり、硬貨収納用金庫１０の製造コストの上昇を抑えることができる。
【００３３】
また、硬貨の落下の衝撃は、コイルバネ１６によって吸収されるので、収納庫１１の底面Ｓ２に硬貨が直接衝突する構成に比べて、収納庫１１の劣化を抑制できる。
【００３４】
また、コイルバネ１６は、硬貨ＣＳの落下地点の鉛直下方に配置されているので、落下した硬貨ＣＳの衝突エネルギーを無駄なくコイルバネ１６に伝えることができ、硬貨ＣＳをより大きく弾き飛ばすことができる。
【００３５】
また、収納済みの硬貨の量が増加するに従い、底板１３は下方に押し下げられるので、硬貨の収納に利用されないデッドスペースである下部空間ＡＲ２を減らし、硬貨の収容に利用される上部空間ＡＲ１を拡大することができる。したがって、収納庫１１の内部空間を無駄なく利用することができる。
【００３６】
また、底板１３の端辺Ｐ１を底面Ｓ２に接合し、この端辺Ｐ１と対向する端辺Ｐ２付近で落下する硬貨ＣＳを受けるようにしているので、底板１３において硬貨の落下地点から離れた位置（例えば、蝶番１５付近等）から落下地点に向かって順次硬貨ＣＳを収納することができ、硬貨の収納位置の偏りを抑制することができる。
【００３７】
また、閉塞部１４を設けて、底板１３と側面Ｓ３との間の間隙Ｂ１を塞ぐようにしているので、硬貨が間隙Ｂ１から落下し、下部空間ＡＲ２に収納されてしまうことを抑制できる。
【００３８】
Ｂ．第２の実施例：
図１１は、第２の実施例における硬貨収納用金庫の構成を示す側面図である。第２の実施例の硬貨収納用金庫１０ａは、底板の大きさ、及び底板と底面Ｓ２との接合位置において、第１の実施例の硬貨収納用金庫１０と異なり、他の構成は、第１の実施例と同じである。
【００３９】
第２の実施例の底板１３ｂは、第１の実施例の底板１３と比べて、長手方向の長さがおよそ半分である。また、底板１３ｂは、端辺Ｐ１が底面Ｓ２の中央部においてＹ軸に沿うように配置され、蝶番１５によって底面Ｓ２に回動可能に接合されている。
【００４０】
このような構成を有する硬貨収納用金庫１０ａも、第１の実施例の硬貨収納用金庫１０と同様な効果を有する。なお、第１，２実施例からも理解できるように、底面Ｓ２の少なくとも一部を覆うことが可能な底板（底板部）を本発明の硬貨収納用金庫に利用することができる。
【００４１】
Ｃ．第３の実施例：
図１２は、第３の実施例における硬貨収納用金庫の構成を示す側面図である。第３の実施例の硬貨収納用金庫１０ｂは、コイルバネ及び閉塞部を左右対称に２つずつ備えている点と、底板が収納庫１１の底面Ｓ２と接合されていない点と、硬貨投入口１２が上面Ｓ１の中央に配置されている点と、底板において、端辺Ｐ１側にも櫛歯部が形成されている点とにおいて、第１の実施例の硬貨収納用金庫１０と異なり、他の構成は、第１の実施例と同じである。
【００４２】
第３の実施例の硬貨収納用金庫１０ｂは、第１のコイルバネ１６ａと、第２のコイルバネ１６ｂと、第１の閉塞部１４ｂと、第２の閉塞部１４ｃとを備えている。２つのコイルバネ１６ａ，１６ｂは、第１の実施例のコイルバネ１６と同じである。また、２つの閉塞部１４ｂ，１４ｃは、第１の実施例の閉塞部１４と同じである。
【００４３】
第１のコイルバネ１６ａは、一端が底面Ｓ２に接合され、他端が底板１３ｃに接合されている。なお、第１のコイルバネ１６ａは、硬貨投入口１２の鉛直下方から左側（＋Ｘ方向）にずれた位置に配置されている。第１の閉塞部１４ｂは、底板１３ｃと側面Ｓ４との間の間隙Ｂ２を塞ぐように配置されている。第１の閉塞部１４ｂと底板１３ｃとは、第１の実施例（図３）と同様に、互いに噛み合うように配置されている。第２のコイルバネ１６ｂ及び第２の閉塞部１４ｃの構成も、第１のコイルバネ１６ａ及び第１の閉塞部１４ｂと同じであるので、説明を省略する。
【００４４】
第３の実施例の硬貨収納用金庫１０ｂでは、硬貨投入口１２から落下した硬貨は、第１の実施例と同様に、底板１３ｃに衝突して底板１３ｃを押し下げ、２つのコイルバネ１６ａ，１６ｂの反発力により弾き飛ばされて底板１３ｃの上に収納される。
【００４５】
このような構成を有する第３の実施例の硬貨収納用金庫１０ｂは、第１の実施例の硬貨収納用金庫１０と同様な効果を有する。加えて、硬貨投入口１２は、上面Ｓ１の中央部に配置されているので、第１の実施例とは異なり、落下した硬貨は様々な方向に弾き飛ばされ、硬貨投入当初から底板１３ｃ全体に硬貨を均して収納することができる。
【００４６】
Ｄ．第４の実施例：
図１３は、第４の実施例における硬貨収納用金庫の構成を示す側面図である。第４の実施例の硬貨収納用金庫１０ｃは、硬貨投入口１２が側面Ｓ３に配置されている点と、硬貨ＣＳが硬貨投入口１２から投入される際に、＋Ｘ方向の力が加えられる点とにおいて、第１の実施例の硬貨収納用金庫１０と異なり、他の構成は第１の実施例と同じである。
【００４７】
第４の実施例では、硬貨投入口１２は、側面Ｓ３において閉塞部１４の接合点よりも上方に配置されている。硬貨ＣＳは、この硬貨投入口１２から＋Ｘ方向（すなわち、硬貨投入口１２が設けられた側面Ｓ３から、対向する側面Ｓ４に向かう方向）に所定の力を加えられて投入される。このとき、底板１３において、硬貨ＣＳの落下地点ｔｐは、第１の実施例と同様に、コイルバネ１６の鉛直上方に位置する。換言すると、コイルバネ１６は、投入された硬貨の落下地点ｔｐの鉛直下方に位置するように配置されている。
【００４８】
このような構成を有する第４の実施例の硬貨収納用金庫１０ｃは、第１の実施例の硬貨収納用金庫１０と同様な効果を有する。
【００４９】
Ｅ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００５０】
Ｅ１．変形例１：
各実施例では、収納庫１１は、六面体の外観形状を有していたが、六面体に限らず、任意の多面体形状を有することもできる。また、各実施例では、硬貨投入口１２は、上面Ｓ１又は側面Ｓ３に配置されていたが、これらの面に限らず、側面Ｓ４や、２つの側面Ｓ３，Ｓ４と直交する他の側面に配置することもできる。すなわち、一般には、収納庫１１が載置された状態において、底面Ｓ２を除く他の面に硬貨投入口１２を設けることができる。
【００５１】
Ｅ２．変形例２：
各実施例では、硬貨ＣＳを弾き飛ばすためにコイルバネ１６，１６ａ，１６ｂを用いていたが、コイルバネに代えて、板バネや、シリコンゴムやブチルゴムや天然ゴムなどのエラストマーを用いることもできる。すなわち、一般には、弾性体を本発明の硬貨収納用金庫に採用することができる。なお、弾性体としてコイルバネを採用することにより、堆積した硬貨ＣＳの自重でコイルバネ１６が収縮した際に、下部空間ＡＲ２の鉛直方向（＋Ｚ方向）の高さをより短くすることができ、デッドスペースをより小さくすることができる。
【００５２】
Ｅ３．変形例３：
第１の実施例では、閉塞部１４によって塞ぐ間隙は、端辺Ｐ２と側面Ｓ３との間の間隙Ｂ１のみであったが、本発明は、これに限定されるものではない。例えば、側面Ｓ３，Ｓ４と直交する２つの側面と、底板１３との間の間隙を、閉塞部１４と同様な構成を有する閉塞部を用いて塞ぐこともできる。また、第１の実施例において、閉塞部１４と底板１３とが重なる部分は、２つの櫛歯部１３ａ，１４ａが互いに噛み合う構成を有していたが、本発明はこれに限定されるものではない。閉塞部１４を、間隙Ｂ１を通るように配置すると共に、閉塞部１４の端辺Ｐ１０と対向する端辺を、底板１３の裏面（底面Ｓ２と対向する面）に接合させる構成を採用することもできる。以上の構成は、第２〜４の実施例についても適用することもできる。なお、各実施例において、各閉塞部１４，１４ｂ，１４ｃを省略することもできる。
【００５３】
Ｅ４．変形例４：
第１の実施例では、底板１３はコイルバネ１６の一端と接合されていたが、これに代えて、コイルバネ１６の一端と接合させない構成を採用することもできる。この構成においては、コイルバネ１６の反発力により底板１３が上方に変位した後、コイルバネの収縮に伴って底板１３が下方に引き戻されないので、底板１３の上方への変位量を大きくすることができる。かかる構成は、第２〜４の実施例についても適用することもできる。
【００５４】
Ｅ５．変形例５：
各実施例では、硬貨収納用金庫１０，１０ａ〜１０ｃは、現金自動預け払い機（ＡＴＭ）や、硬貨紙幣釣銭機の内部に収容されて用いられていたが、本発明はこれに限定されるものではない。例えば、遊戯用のコインを収納するための金庫として、遊戯用コイン貸出機や、遊戯用コインを投入する遊具等に用いることもできる。
【００５５】
Ｅ６．変形例６：
第４の実施例では、硬貨ＣＳは、硬貨投入口１２から＋Ｘ方向に所定の力を加えられて投入されていたが、これに代えて、第１の実施例と同様に、所定の力を受けずに自然落下させてもよい。
【００５６】
Ｅ７．変形例７：
各実施例では、コイルバネ１６，１６ａ，１６ｂは、少なくとも底板１３上に硬貨が堆積されていない状態において、落下する硬貨を弾くことが可能な程度の弾性を有していたが、本発明は、これに限定されるものではない。例えば、コイルバネとして、底板１３上に硬貨が堆積されていない状態において、落下する硬貨を弾くことができない程度の弾性を有するコイルバネを採用することもできる。このようなコイルバネであっても、落下した硬貨は、底板１３の傾斜を利用して落下地点から離れる方向（端辺Ｐ２から端辺Ｐ１に向かう方向）に移動して収納されるので、硬貨投入口１２の鉛直下方において硬貨が山状に堆積することを抑制できる。また、このようなコイルバネであって、かつ、堆積した硬貨及び底板１３の重さによって圧縮される程度の弾性を有するコイルバネであれば、硬貨が堆積するのに従って、下部空間ＡＲ２を減少させることができる。
【符号の説明】
【００５７】
１０，１０ａ〜１０ｃ…硬貨収納用金庫、１１…収納庫、１２…硬貨投入口、１３，１３ｂ，１３ｃ…底板、１３ａ…櫛歯部、１４…閉塞部、１４ａ…櫛歯部、１４ｂ…第１の閉塞部、１４ｃ…第２の閉塞部、１５…蝶番、１６…コイルバネ、１６ａ…第１のコイルバネ、１６ｂ…第２のコイルバネ、Ｐ１，Ｐ２…端辺、Ｓ１…上面、Ｂ１，Ｂ２…間隙、Ｓ２…底面、Ｓ３，Ｓ４…側面、ＳＬ…センサライン、ＣＳ…硬貨、Ｐ１０，Ｐ１１…端辺、ＡＲ１…上部空間、ＡＲ２…下部空間、ｔｐ…落下地点
【図１】
0005385082.tif 000002
【図２】
0005385082.tif 000003
【図３】
0005385082.tif 000004
【図４】
0005385082.tif 000005
【図５】
0005385082.tif 000006
【図６】
0005385082.tif 000007
【図７】
0005385082.tif 000008
【図８】
0005385082.tif 000009
【図９】
0005385082.tif 000010
【図１０】
0005385082.tif 000011
【図１１】
0005385082.tif 000012
【図１２】
0005385082.tif 000013
【図１３】
0005385082.tif 000014